(57)【要約】【課題】皮膚の分析を実用的な下衣成片に置き換えることで、運動機能と着用感を向上させた下衣を提供する。【解決手段】前縁７に前部後肢軸線１０８に沿った凹縁９を形成した一対の前身頃２，２と、内縁１２に後部後肢軸線１１３に沿った凹縁１４を形成した一対の後身頃３，３と、上縁を前身頃２の凹縁９に対応した凸縁４ａとし下縁を中心位置でほぼ１５０度の凹縁４ｂとした前殿溝片４と、上縁を後身頃３の凹縁１４に対応した凸縁５ａとし下縁を中心位置でほぼ１６５度の凹縁５ｂとした後殿溝片５とから構成される。【選択図】  図１
2004300626.tif 000002
【特許請求の範囲】
【請求項１】
前縁に前部後肢軸線に沿った凹縁を形成した一対の前身頃と、内縁に後部後肢軸線に沿った凹縁を形成した一対の後身頃と、上縁を前身頃の凹縁に対応した凸縁とし下縁を中心線における接線角度をほぼ１５０度の凹縁とした前殿溝片と、上縁を後身頃の凹縁に対応した凸縁とし下縁を中心線における接線角度をほぼ１６５度の凹縁とした後殿溝片とを有し、一対の前身頃の前縁同士を縫着し、一対の後身頃の内縁同士を縫着し、前身頃の側縁を後身頃の側縁に縫着し、一対の前身頃の凹縁を前殿溝片の凸縁に縫着し、一対の後身頃の凹縁を後殿溝片の凸縁に縫着し、前殿溝片の凹縁を後殿溝片の凹縁に縫着したことを特徴とする下衣。
【請求項２】
前身頃の凹縁の始点は、人体の陰部（恥骨結合下部）の上端位置であり、後身頃の凹縁の始点は、後部後肢軸線の起点位置であることを特徴とする請求項１に記載の下衣。
【請求項３】
前殿溝片は２つの片を縫合して形成されることを特徴とする請求項１に記載の下衣。
【請求項４】
後殿溝片は２つの片を縫合して形成されることを特徴とする請求項１または３に記載の下衣。
【発明の詳細な説明】
【０００１】
【発明が属する技術分野】
本発明は、パンツ、スポーツアウター、スポーツアンダーまたはスウイミングウエア等に適用される、運動機能と着用感を向上させた下衣に関する。
【０００２】
【従来の技術】
従来のパンツ（スラックス）は、一対の前身頃と一対の後身頃の４つの部片から構成され、前身頃の後縁と後身頃の前縁とを縫着し、前身頃の前縁と後身頃の後縁とを縫着して、一対の筒状部を形成し、一対の筒状部を前後中心の股ぐり線で縫着することで構成される。
また、従来のパンツ（スラックス）においては、脚付根（股ぐり周辺）の構造が運動機能と着用感を向上させる要点となっている。
【０００３】
従来のパンツは、着用者に対する形態適合性を主眼として作られているため、着用感を向上させることはできても、下肢の運動に適応する運動機能性に欠けているのが現状である。
【０００４】
パンツの運動機能を向上させる方法として、パンツの後身頃のパターンの腰部全体を操作して変形させる方法や、パンツの股底部分にマチを縫い込むかそれに類する方法があるが、これらの方法は、装飾効果を目的としたり、静的時の形態適合を目的とする場合がほとんどであり、人体の運動機構上から必然的に要求される衣服構造線は希である。
【０００５】
さらに、運動機能を主要素とするタイツ、たとえば、競技用ウエアのような密着系スポーツタイツは、運動体の体表変化によりよく追従するとともに目的機能を少しでも促進させることを必須条件とするが、運動機能性を素材の具有する伸縮機能そのものに依存する傾向が強いのが現状である。
【０００６】
【発明が解決しようとする課題】
しかしながら、運動機能を主要素とする競技用ウエアは、運動機能性を素材の伸縮機能に依存するため、着用時のわずかな布抵抗あるいはストレッチバック（もどり反発力）も負荷要素になり、伸縮性素材の使用だけでは人体機能を引き出しきれないという問題がある。
【０００７】
本出願人は、人体体表の皮膚を衣服機能の基準と見なし、解剖学面から人体の股底部周辺の皮膚を分析して各部片を形成することで、運動機能と着用感を向上させた下衣を開発した。
【０００８】
人体の下肢構造において、下肢殿部の殿溝は、皮膚の大きなしわで、運動量であり、大腿部の前上方挙上・開脚運動や体幹腰部前屈運動に対応して伸展するので、皮膚に引きつれを生じさせることはない。
【０００９】
下肢がこのような運動をするときの皮膚のしわの殿部伸展線１００は、図２０に示すように、後部ウェスト１０１の中心部近くから殿溝１０２を通り膝頭１０３に至る方向であり、皮膚がよく偏移拡張する部分である。この皮膚のしわの伸展線１００の方向がパンツやスポーツタイツの引きつれるコースである。そして、皮膚のしわの殿部伸展線１００の方向の途中に位置する殿溝１０２が皮膚の偏移拡張運動を助ける主要な働きをする。
【００１０】
図２１は、人体下半身の脊髄神経末梢枝の支配領域が作る皮節（デルマトーム）を表した図である。図２１において、前部後肢軸線１０４は、恥骨結合下部１０４ａから起こり大腿部内側を後面に下降する。後部後肢軸線１０５は、第１ないし第３仙骨神経１０６から起こり、殿部上を大きくカーブして後大腿部を外側寄りに下降し、下半身全体の皮膚の境界を作る。
【００１１】
前部後肢軸線１０４と後部後肢軸線１０５に囲まれた区域は、仙骨神経成分であり、その他の部分と異なり、股底部周辺にかけて皮膚組織も柔軟で偏移性に富む。特に、殿溝１０２を中心とする部分は、皮膚の機能区域であり、パンツ類を設計する上で最も重要な点である。これが、前部後肢軸線１０４と後部後肢軸線１０５を構造線として用いる根拠である。
【００１２】
股底部周辺の皮膚は、一続きであり、パンツ類の内側線に相当する区切りはないが、パンツの型にしやすくする再現性の見地と理論性の確立から、その部分を内側線で前部と後部に分けて扱う必要性がある。応用例として、前部と後部を一続きで構成することで、股周辺に最高機能を与えることを可能にする。
【００１３】
図２２は、解剖用死体の下半身の皮膚にパンツの左前身頃の構造線である前中心線１０７、ウェストライン１０８、股底点と内側膝幅の中間を結ぶ内側線１０９、ウェスト外側点と外側膝幅の中間を結ぶ外側線１１０を引き、その線に沿って剥離し展開した皮膚をトレースした図である。
図２２において、皮膚の殿溝１０２のしわ部分１０２ａは、皮節の前部後肢軸線１０４により区切られる区域内にある。皮節の前部後肢軸線１０４は、腰部中心からＵ字状に下降する線である。
【００１４】
図２３は、図２２に示す皮膚の殿溝１０２のしわ部分１０２ａを平面化するように、脚部を外側にひねって皮膚の殿溝１０２を移動させた状態を示す図であり、皮節の前部後肢軸線１０４は、図２２に示す形態の皮膚を図２３に示す形態の皮膚に移動させた際の移動境界に一致する。
【００１５】
図２４は、解剖用死体の下半身の皮膚にパンツの左後身頃の構造線である後中心線１１１、ウェストライン１１２、股底点と内側膝幅の中間を結ぶ内側線１１３、ウェスト外側点と外側膝幅の中間を結ぶ外側線１１４を引き、その線に沿って剥離し展開した皮膚をトレースした図である。
図２４において、皮膚の殿溝１０２のしわ部分１０２ｂは、皮節の後部後肢軸線１０５により区切られる区域内にある。
【００１６】
図２５は、図２４に示す皮膚の殿溝１０２のしわ部分１０２ｂを平面化するように、脚部を外側にひねって皮膚の殿溝１０２を移動させた状態を示す図であり、皮節の後部後肢軸線１０５は、図２４に示す形態の皮膚を図２５に示す形態の皮膚に移動させた際の移動境界に一致する。
【００１７】
本発明は、皮膚の分析を実用的な下衣の構成部片に置き換えることで、運動機能と着用感を向上させた下衣を提供することを目的とする。
【００１８】
【課題を解決するための手段】
本発明の下衣は、前縁に前部後肢軸線に沿った凹縁を形成した前身頃と、内縁に後部後肢軸線に沿った凹縁を形成した後身頃と、上縁を前身頃の凹縁に対応した凸縁とし下縁を中心線における接線角度をほぼ１５０度の凹縁とした前殿溝片と、上縁を後身頃の凹縁に対応した凸縁とし下縁を中心線における接線角度をほぼ１６５度の凹縁とした後殿溝片とを有し、一対の前身頃の前縁同士を縫着し、一対の後身頃の後縁同士を縫着し、前身頃の後縁を後身頃の前縁に縫着し、一対の前身頃の凹縁を前殿溝片の凸縁に縫着し、一対の後身頃の凹縁を後殿溝片の凸縁に縫着し、前殿溝片の凹縁を後殿溝片の凹縁に縫着したことで、前後中心縫合線（しりぐり線）を消去することができ、殿部の形状や性差、固体差を問わず密にフィットでき、開脚、交叉、補償的運動に適応できる。
【００１９】
【発明の実施の形態】
以下本発明の実施の形態を図面につき説明する。
本発明による下衣をパンツに適用した例を図１ないし図３に示す。
本発明によるパンツ１は、図１ないし図３に示すように、左右一対の前身頃２，２と、左右一対の後身頃３．３と、前殿溝片４と、後殿溝片５の６つの部片から構成される。  前身頃２は、図２２に示す皮膚構造をパターン化したものであり、後身頃３は、図２４に示す皮膚構造をパターン化したものである。
【００２０】
上記前身頃２，２は、左右対称であるから、左前身頃２についてのみ説明し、右前身頃２の説明を省略する。
上記左前身頃２は、図４に示すように、人体のウェストラインに沿った上端縁６と、上端縁６の内端６ａから人体の前中心に沿って下方に延びる前縁７と、前縁７の人体の陰部上端（恥骨結合部）に相当する位置７ａから前部後肢軸線１０４（図２２参照）に沿って人体の太股部に位置する下端縁８の内端８ａまで延びる凹縁９と、上端縁６の外端６ｂから下端縁８の外端８ｂまで人体のサイドラインに沿った側縁１０とを有する。
【００２１】
上記後身頃３，３は、左右対称であるから、左後身頃３についてのみ説明し、右後身頃３の説明を省略する。
上記左後身頃３は、図５に示すように、人体のウェストラインに沿った上端縁１１と、上端縁１１の内端１１ａから人体の後中心に沿って下方に延びる内縁１２と、内縁１２の人体の後肢軸線の起点１２ａから後部後肢軸線１０５（図２４参照）に沿って人体の太股部に位置する下端縁１３の内端１３ａまで延びる凹縁１４と、上端縁１１の外端１１ｂから下端縁１３の外端１３ｂまで人体のサイドラインに沿った側縁１５とを有する。
【００２２】
上記前殿溝片４は、図６に示すように、全体形状をほぼ一定幅のブーメラン状をなしている。前殿溝片４は、中心線１６を中心に左右対称の片１７ａ、１７ａを一体で形成している。前殿溝片４の凸状上縁４ａの全長は、前身頃２の凹縁９の長さの２倍の長さである。また、前殿溝片４の凹状下縁４ｂの中心線１６における接線により形成される接線角度は約１５０度である。
【００２３】
上記後殿溝片５は、図７に示すように、全体形状を中央部に円弧状凸部１８を連設したブーメラン状をなしている。後殿溝片５は、中心線１９を中心に左右対称の片２０ａ、２０ａを一体で形成している。後殿溝片５の凸状上縁５ａの全長は、後身頃３の凹縁１４の長さの２倍の長さである。また、後殿溝片５の凹状下縁５ｂの中心線１９における接線により形成される接線角度は約１６５度であり、後殿溝片５の凹状下縁５ｂの全長は、前殿溝片４の凹状下縁４ｂの全長に等しい。
【００２４】
つぎに、本発明によるパンツ１の製造手順を説明する。
一対の前身頃２，２を、図８に示すように、前縁７，７が接するように配置し、前身頃２，２の前縁７，７同士を通常のミシンにより縫着する。ついで、前縁７，７同士を縫着した前身頃３，３の上に前殿溝片４を前身頃３，３の凹縁９，９と凸状上縁４ａが接するように配置し、一対の前身頃３，３の凹縁９，９と前殿溝片４の凸状上縁４ａとを縫着する。これにより、パンツ１の前面部分１ａが形成される。
【００２５】
つぎに、一対の後身頃３，３を、図９に示すように、内縁１２，１２が接するように配置し、後身頃３，３の内縁１２，１２同士を縫着する。ついで、内縁１２，１２同士を縫着した後身頃３，３の上に後殿溝片５を後身頃３，３の凹縁１４，１４と凸状上縁５ａが接するように配置し、一対の後身頃３，３の凹縁１４，１４と後殿溝片５の凸状上縁５ａとを縫着する。この際、後身頃３の凹縁１４と後殿溝片５の凸状上縁５ａとの重なりが離れる点Ｐが股ぐりのひねり支点となる。これにより、尻ぐりをカバーする曲面が発生し、パンツ１の後面部分１ｂが形成される。
【００２６】
つぎに、パンツ１の前面部分１ａとパンツ１の後面部分１ｂとを重ね合わせ、前面部分１ａの側縁１０，１０と後面部分１ｂの側縁１５，１５とを縫着するとともに、前面部分１ａの凹状下縁４ｂと後面部分１ｂの凹状下縁５ｂとを縫着する。これにより、前部股ぐりをカバーする曲面が発生し、パンツ１が完成する。
【００２７】
図１０は、パンツ１の前身頃２と後身頃３のパターンと人体の皮膚の伸展方向との関係を示す図である。図１０において、皮膚のしわの伸展方向は符号Ａの方向であり、このしわの伸展方向Ａは、運動機能を必要とする方向であり、皮膚の伸展線１００の方向に一致する。図１０において、皮膚の伸展線１００がパンツ１の後殿溝片５を通る。この場合、後殿溝片５の殿部伸展線１００上に殿溝１０２を展開した分の運動量Ｓが当ることになり、パンツ１は、その運動量Ｓだけ運動がしやすくなる。この運動量Ｓが誘導印子となり、脚の様々な運動に適応する相乗機能を発生する。
【００２８】
づぎに、本発明による下衣をロングパンツに適用した例を図１１ないし図１３により説明する。
本発明によるロングパンツ３０は、図１ないし図３に示すパンツ１と比較すると、主要部分の構成は同じあるが、前身頃と後身頃の下端を人体の足首部分まで伸ばして筒状部分を長くした点において相違している。
【００２９】
本発明によるロングパンツ３０は、図１１ないし図１３に示すように、左右一対の前身頃３１，３１と、左右一対の後身頃３２．３２と、前殿溝片３３と、後殿溝片３４の６つの部片から構成される。  前身頃３１は、図１２に示す皮膚構造をパターン化した部分を含み、後身頃３２は、図１４に示す皮膚構造をパターン化した部分を含む。
【００３０】
上記前身頃３１は、図１４に示すように、人体のウェストラインに沿った上端縁６と、上端縁６の内端６ａから人体の前中心に沿って下方に延びる前縁７と、前縁７の人体の陰部上端（恥骨結合部）に相当する位置７ａから前部後肢軸線１０４（図２２参照）に沿って人体の足首近くに位置する下端縁３５の内端３５ａまで延びる凹縁３６と、上端縁６の外端６ｂから下端縁３５の外端３５ｂまで人体のサイドラインに沿った側縁３７とを有する。
【００３１】
上記後身頃３２は、図１５に示すように、人体のウェストラインに沿った上端縁１１と、上端縁１１の内端１１ａから人体の後中心に沿って下方に延びる内縁１２と、内縁１２の人体の後肢軸線の起点１２ａから後部後肢軸線１０５（図２４参照）に沿って人体の足首近くに位置する下端縁３８の内端３８ａまで延びる凹縁３９と、上端縁１１の外端１１ｂから下端縁３８の外端３８ｂまで人体のサイドラインに沿った側縁４０とを有する。
【００３２】
上記前殿溝片３３は、図１６に示すように、全体形状をほぼ一定幅のブーメラン状をなしている。前殿溝片３３は、中心線１６で２つに分割された片４１ａ、４１ａを中心線１６に沿って縫合することで形成される。前殿溝片３３の凸状上縁３３ａの全長は、前身頃３１の凹縁３６の長さの２倍の長さである。また、前殿溝片３３の凹状下縁３３ｂの中心線１６における接線により形成される接線角度は約１５０度である。
【００３３】
上記後殿溝片３４は、図１７に示すように、全体形状を中央部に円弧状凸部４２を連設したブーメラン状をなしている。後殿溝片３４は、中心線１９で２つに分割された片４３ａ、４３ａを中心線１９に沿って縫合することで形成される。後殿溝片３４の凸状上縁３４ａの全長は、後身頃３２の凹縁３８の長さの２倍の長さである。また、後殿溝片３４の凹状下縁３４ｂの中心線１９における接線により形成される接線角度は約１６５度であり、後殿溝片３４の凹状下縁３５ｂの全長は、前殿溝片３３の凹状下縁３３ｂの全長に等しい。
【００３４】
上記ロングパンツ３０においては、股角度１６５度の股下長の後殿溝片３４および股角度１５０度の股下長の前殿溝片３３をたて編地の一体成形品とするには全幅が、市販のたて編地の幅より大きくなってしまう。そこで、後殿溝片３４および前殿溝片３３は、たて編地を２つに裁断した片を縫合することで作る。後殿溝片３４および前殿溝片３３は、製造する上では、中心線に沿って裁断した２片とすることが望ましいが、切断位置は中心線から外れた位置であってもよい。
【００３５】
このように、ロングパンツ３０において、後殿溝片３４および前殿溝片３３に中心縫合線を設け、中心縫合線を人体の尻ぐりに沿うようにカーブをもたせることで、運動機能性とフィット性を両立させることができる。
２つの片を縫合して形成される後殿溝片３４および前殿溝片３３は、ロングパンツ３０に限らずパンツ１にも適用できる。
【００３６】
なお、上記発明の実施の形態では、内側線（内股縫線）を設けたパンツ１やロングパンツ３０について説明したが、人体の股底部の皮膚には内側線に相当する線はない。
したがって、内側線をなしにして前後後肢軸線間の関係をパターン化してパンツやロングパンツを製作することができる。
【００３７】
本発明によるパンツの変形例を図１８および図１９に示す。
図１８および図１９に示すパンツの変形例は、左右一対の前身頃５０，５０と、左右一対の後身頃５１，５１と、後殿溝片５２の５つの部片から構成される。この場合、前身頃５０は、図４で示す前身頃２に点線で示す部分５３を連設して形成される。後身頃５１は、図５で示す後身頃３と同一構成である。後殿溝片５２は、図７で示す後殿溝片５に点線で示す部分５４を連設して形成される。
図１８および図１９に示すパンツの変形例は、図１ないし図３に示すパンツ１に比べると、フィット性にやや劣るが、股下縫合線が邪魔になる着用者に対しては有効である。
【００３８】
本発明による下衣は、特徴部分が股底部であるから、パンツやロングパンツ以外のアンダータイツ、アンダーウエア全般、アウタースパッツ（アスレティックスパッツ）、スポーツアウター、スウイミングウエア、レインパンツ、クライミングパンツ、バイクアウター、インナー等にも適用することができる。
【００３９】
【発明の効果】
本発明による下衣ば、前殿溝片と後殿溝片の中心面が人体殿部正中面の曲面（尻ぐり）を覆うカーブを発生するので、いかなる着用者の体型にも対応でき、着用者の最大開脚（１８０°）にも適応し、また、前殿溝片と後殿溝片のスペースが脚の交叉運動（前後運動）に効果的に作用する。
【００４０】
また、本発明による下衣ば、前殿溝片と後殿溝片の中心線部分が面機能を奏することを基本とするが、前殿溝片と後殿溝片の中心線部分を縫合線とする場合、中心縫合線に任意の浅いカーブを設置することで、殿部への適合性と運動機能（内側角）の両面の調節が可能となる。
【図面の簡単な説明】
【図１】本発明によるパンツの正面図。
【図２】本発明によるパンツの側面図。
【図３】本発明によるパンツの後面図。
【図４】本発明によるパンツの一方の前身頃を示す図。
【図５】本発明によるパンツの一方の後身頃を示す図。
【図６】本発明によるパンツの前殿溝片を示す図。
【図７】本発明によるパンツの後殿溝片を示す図。
【図８】本発明によるパンツの前身頃と前殿溝片の接合を示す図。
【図９】本発明によるパンツの後身頃と後殿溝片の接合を示す図。
【図１０】本発明によるパンツの皮膚進展方向と殿溝を展開した運動量との関係を示す
【図１１】本発明によるロングパンツの正面図。
【図１２】本発明によるロングパンツの側面図。
【図１３】本発明によるロングパンツの後面図。
【図１４】本発明によるロングパンツの一方の前身頃を示す図。
【図１５】本発明によるロングパンツの一方の後身頃を示す図。
【図１６】本発明によるロングパンツの前殿溝片を示す図。
【図１７】本発明によるロングパンツの後殿溝片を示す図。
【図１８】本発明によるパンツの変形例の前身頃を示す図。
【図１９】本発明によるパンツの変形例の後身頃と後殿溝片とを示す図。
【図２０】人体の下肢が運動をするときの皮膚のしわの殿部伸展線の方向を示す図。
【図２１】人体下半身の脊髄神経末梢枝の支配領域が作る皮節を表した図。
【図２２】パンツの左前身頃の構造線に沿って剥離し展開した皮膚をトレースした図。
【図２３】図１２に示す皮膚を外側にひねって状態を示す図。
【図２４】パンツの左後身頃の構造線に沿って剥離し展開した皮膚をトレースした図。
【図２５】図１４に示す皮膚を外側にひねって状態を示す図。
【符号の説明】
１  下衣
２  前身頃
３  後身頃
４  前殿溝片
５  後殿溝片
７  前身頃の前縁
９  前縁の凹縁
１２  後身頃の内縁
１４  内縁の凹縁
【図１】
2004300626.tif 000003
【図２】
2004300626.tif 000004
【図３】
2004300626.tif 000005
【図４】
2004300626.tif 000006
【図５】
2004300626.tif 000007
【図６】
2004300626.tif 000008
【図７】
2004300626.tif 000009
【図８】
2004300626.tif 000010
【図９】
2004300626.tif 000011
【図１０】
2004300626.tif 000012
【図１１】
2004300626.tif 000013
【図１２】
2004300626.tif 000014
【図１３】
2004300626.tif 000015
【図１４】
2004300626.tif 000016
【図１５】
2004300626.tif 000017
【図１６】
2004300626.tif 000018
【図１７】
2004300626.tif 000019
【図１８】
2004300626.tif 000020
【図１９】
2004300626.tif 000021
【図２０】
2004300626.tif 000022
【図２１】
2004300626.tif 000023
【図２２】
2004300626.tif 000024
【図２３】
2004300626.tif 000025
【図２４】
2004300626.tif 000026
【図２５】
2004300626.tif 000027